【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
オーディオ／ビデオ番組を携帯用電子装置において再生する方法であって、
第１のオーディオ／ビデオ番組を再生する工程と、
格納済みのユーザ基本設定に基づいて前記第１のオーディオ／ビデオ番組の再生を中断する工程と、
第２のオーディオ／ビデオ番組を再生する工程と、
を備え、
前記第１のオーディオ／ビデオ番組を中断する工程は、
前記第２のオーディオ／ビデオ番組の受信時に通知信号を生成する工程と、
該通知信号に応答してユーザ入力を受信する工程と
前記ユーザ入力に応答して前記第１のオーディオ／ビデオ番組を中断する工程と
を更に含むことを特徴とする方法。
【請求項２】
前記第２のオーディオ／ビデオ番組の再生が終了した後、前記第１のオーディオ／ビデオ番組の再生を再開する工程をさらに備えることを特徴とする請求項１に記載の方法。
【請求項３】
前記第１のオーディオ／ビデオ番組を中断する工程は、
前記第１のオーディオ／ビデオ番組の音量を下げる工程と、
前記第２のオーディオ／ビデオ番組を再生する工程と、
前記第２のオーディオ／ビデオ番組を、前記第１のオーディオ／ビデオ番組に優先して再生する工程と
を含むことを特徴とする請求項１に記載の方法。
【請求項４】
前記第１のオーディオ／ビデオ番組はタイムスケジュールされたオーディオ／ビデオ番組を含み、
前記方法は、前記第２のオーディオ／ビデオ番組が再生されている間、前記第１のオーディオ／ビデオ番組を格納する工程をさらに備えることを特徴とする請求項１に記載の方法。
【請求項５】
前記第１のオーディオ／ビデオ番組の中にブレイクポイントを検出する工程をさらに備え、
前記ブレイクポイントの検出は前記携帯用電子装置において実行され、
前記第１のオーディオ／ビデオ番組の再生を中断する工程は、前記検出されたブレイクポイントにおいて前記第１のオーディオ／ビデオ番組の再生を中断する工程を含むことを特徴とする請求項２に記載の方法。
【請求項６】
前記通知信号を生成する工程は、アイコンを表示する工程と、可聴告知を生成する工程との少なくともいずれかの工程を含むことを特徴とする請求項１に記載の方法。
【請求項７】
前記第２のオーディオ／ビデオ番組を格納する工程をさらに備え、
前記第２のオーディオ／ビデオ番組を再生する工程は、前記格納済みの第２のオーディオ／ビデオ番組を再生する工程を含むことを特徴とする請求項１に記載の方法。
【請求項８】
前記第２のオーディオ／ビデオ番組は放送番組であり、
前記第２のオーディオ／ビデオ番組を再生する工程は、
前記第２のオーディオ／ビデオ番組を受信機を用いて受信する工程と、
該受信した第２のオーディオ／ビデオ番組を再生する工程と
を含むことを特徴とする請求項１に記載の方法。
【請求項９】
前記第２のオーディオ／ビデオ番組を受信する工程は、ＡＭ／ＦＭ無線放送と、ＵＨＦ／ＶＨＦ  ＴＶ放送と、ＤＶＢ−Ｈ放送と、衛星無線放送との少なくともいずれかから前記第２のオーディオ／ビデオ番組を受信する工程を含むことを特徴とする請求項８に記載の方法。
【請求項１０】
前記第２のオーディオ／ビデオ番組を受信する工程は、データ通信ネットワークを通じて前記第２のオーディオ／ビデオ番組をダウンロードする工程を含むことを特徴とする請求項８に記載の方法。
【請求項１１】
前記格納済みのユーザ基本設定は、番組の混合についての嗜好と、番組の優先順位とのいずれか一方を含むことを特徴とする請求項１に記載の方法。
【請求項１２】
前記ユーザ基本設定は、従前のユーザの番組選択の分析に基づいて発見的に決定されることを特徴とする請求項１に記載の方法。
【請求項１３】
前記第２のオーディオ／ビデオ番組は、ニュースと交通警報との少なくともいずれかを含むことを特徴とする請求項１に記載の方法。
【請求項１４】
前記第２のオーディオ／ビデオ番組は、ＦＭ無線受信機によって復号化されるＲＤＳデータメッセージとして受信されることを特徴とする請求項１に記載の方法。
【請求項１５】
前記第１のオーディオ／ビデオ番組は音声のみの番組を含み、
前記第２のオーディオ／ビデオ番組はビデオ番組を含む
ことを特徴とする請求項１に記載の方法。
【請求項１６】
前記第１のオーディオ／ビデオ番組はビデオ番組を含み、かつ、前記第２のオーディオ／ビデオ番組は音声のみの番組を含むことを特徴とする請求項１に記載の方法。
【請求項１７】
オーディオ／ビデオ番組を携帯用電子装置において再生するためのコンピュータプログラムであって、
前記コンピュータプログラムは、前記携帯用電子装置に、
第１のオーディオ／ビデオ番組を再生させ、
格納済みのユーザ基本設定に基づいて、前記第１のオーディオ／ビデオ番組の再生を中断させ、
第２のオーディオ／ビデオ番組を再生させ、
前記第２のオーディオ／ビデオ番組の受信時に通知信号を生成させ、該通知信号に応答してユーザ入力を受信させ、該ユーザ入力に応答して前記第１のオーディオ／ビデオ番組を中断させる
ことを特徴とするコンピュータプログラム。
【請求項１８】
前記コンピュータプログラムは前記携帯用電子装置に、
前記第２のオーディオ／ビデオ番組の再生が終了した後、前記第１のオーディオ／ビデオ番組の再生を再開させることをさらに特徴とする請求項１７に記載のコンピュータプログラム。
【請求項１９】
前記コンピュータプログラムは、前記携帯用電子装置に、
前記第１のオーディオ／ビデオ番組においてブレイクポイントを検出させ、該検出されたブレイクポイントにおいて前記第１のオーディオ／ビデオ番組の再生を中断させることをさらに特徴とする請求項１８に記載のコンピュータプログラム。
【請求項２０】
前記コンピュータプログラムは、前記携帯用電子装置に、
前記第２のオーディオ／ビデオ番組を格納させ、該格納済みの第２のオーディオ／ビデオ番組を再生させることをさらに特徴とする請求項１７に記載のコンピュータプログラム。
【請求項２１】
前記コンピュータプログラムは、前記携帯用電子装置に、
前記第２のオーディオ／ビデオ番組を受信機を用いて受信させ、該受信された第２のオーディオ／ビデオ番組を再生させることをさらに特徴とする請求項１７に記載のコンピュータプログラム。
【請求項２２】
請求項１に記載の処理を実行するように構成されたことを特徴とする携帯用電子装置。
【請求項２３】
請求項１７に記載のコンピュータプログラムによってプログラムされることを特徴とする携帯用電子装置。
【請求項２４】
オーディオ／ビデオ番組を携帯用電子装置において再生する方法であって、
選択される種類のオーディオ／ビデオ番組を規定する工程と、
前記選択された種類の第１及び第２の種類のオーディオ／ビデオ番組に対して相対的優先順位を規定する工程と、
前記選択された種類のオーディオ／ビデオ番組のうちの前記第１の種類を有する第１のオーディオ／ビデオ番組を再生する工程と、
前記選択された種類のオーディオ／ビデオ番組のうちの前記第２の種類を有する第２のオーディオ／ビデオ番組を受信する工程と、
前記第１のオーディオ／ビデオ番組においてブレイクポイントを検出する工程と、
前記選択された種類のオーディオ／ビデオ番組の第２の種類の方が、前記選択された種類のオーディオ／ビデオ番組の第１の種類よりも高い優先順位を有する場合、前記検出されたブレイクポイントにおいて前記第１のオーディオ／ビデオ番組の再生を中断する工程と、を備えることを特徴とする方法。
【請求項２５】
前記第２のオーディオ／ビデオ番組の再生が終了した後、前記第１のオーディオ／ビデオ番組の再生を再開する工程をさらに備えることを特徴とする請求項２４に記載の方法。
【請求項２６】
前記第１のオーディオ／ビデオ番組を中断する工程は、前記第１のオーディオ／ビデオ番組の音量を下げる工程を含み、
前記第２のオーディオ／ビデオ番組を再生する工程は、前記第２のオーディオ／ビデオ番組を前記第１のオーディオ／ビデオ番組に優先して再生する工程を含む
ことを特徴とする請求項２４に記載の方法。
【請求項２７】
前記第１のオーディオ／ビデオ番組はタイムスケジュールされたオーディオ／ビデオ番組を含み
前記方法は、前記第２のオーディオ／ビデオ番組が再生されている間、前記第１のオーディオ／ビデオ番組を格納する工程をさらに備えることを特徴とする請求項２４に記載の方法。